(57)【要約】【課題】二次側の隣合う巻線部において電位差が発生して過電圧となり、変圧器が焼けるのを防止できる変圧器の構造を提供する。【解決手段】ボビン１の二次側１３には複数の溝部１３３を備える隔板１３２が設けられ、溝部１３３には両側の隔板１３２の異なる側辺にそれぞれ上部切欠１３２１および下部切欠１３２２が形成され、金属線が二次側１３の巻線部に巻設されるとき、巻線部１３１側辺の隔板１３２の下部切欠１３２２から溝部１３３内に巻入れられ、溝部１３３の他側の隔板１３２の上部切欠１３２１から退出され、金属線が隔板１３２外部を跨がないことにより、二次側コイル１３４に電位差が発生するのを避けることができる。【選択図】  図１
0003120379.tif 000002
【実用新案登録請求の範囲】
【請求項１】
二次側の沿面距離を伸ばした金属線の巻設に便利な変圧器であり、
前記変圧器には絶縁機能を有するボビンが設けられ、前記ボビン内部には貫通孔が設けられ、前記貫通孔内部にコアセットの第１のコアが貫設され、前記コアセットの第２のコアがボビン外部に嵌設され、前記ボビン外部にはそれぞれ一次側および二次側が設けられ、前記一次側に金属線が巻設されて一次側コイルが構成され、
前記ボビンの二次側には溝部を備える複数の隔板が設けられ、前記各溝部を構成する両側の隔板上の異なる側辺部分には金属線を通過させる切欠がそれぞれ設けられることを特徴とする変圧器の構造。
【請求項２】
二組の変圧器外部に枠コアによって二つの独立磁路が形成される変圧器であり、
前記二つの変圧器には絶縁機能を有するボビンが設けられ、前記ボビン内部には貫通孔が設けられ、前記貫通孔内部にはコアセットの第１のコアが貫設され、前記ボビン外部には一次側および二次側がそれぞれ設けられ、前記一次側に金属線が巻設されて一次側コイルが構成され、前記二次側に金属線が巻設されて二次側コイルが構成され、一次側コイルと二次側コイルとが隣合う位置に隔離溝が設けられ、前記隔離溝部分にはボビン内部を貫通する孔部が設けられ、
前記二つのボビン外部には矩形の枠コアが設置され、前記枠コアの内側には、ボビンの隔離溝の孔部に進入し、第１のコアと支持し合う中間コアが相対するように設けられることを特徴とする変圧器の構造。
【請求項３】
前記ボビンの一次側および二次側外部には、それぞれ底座が設けられ、一次側外部の底座両側には嵌合部および嵌合孔がそれぞれ設けられ、二次側外部の底座の一側にはストッパ板が設けられることを特徴とする請求項１または２記載の変圧器の構造。
【考案の詳細な説明】
【技術分野】
【０００１】
本考案は変圧器の構造改良に関し、特に、二次側の沿面距離を伸ばすことによって金属線を巻設しやすく、金属線を隔板の溝部内に巻設することによって、二次側の隣合う巻線部において電位差が発生して過電圧となり、変圧器が焼けるのを防止できる変圧器に関する。
【背景技術】
【０００２】
ハイテク時代に入り、長期に渡って使用されていたブラウン管ディスプレイは徐々にＴＦＴ液晶ディスプレイ（ＴＦＴ  ＬＣＤ）およびプラズマディスプレイ（ＰＤＰ）などの平面ディスプレイ（ＦＰＤ）に取って代わられている。ＴＦＴ液晶ディスプレイには高効率で小型のランプによるバックライトシステムが必要であり、一般に液晶パネル（ＬＣＤ）に最もよく使用されているのは冷陰極管（Cold Cathode Fluorescent Lamp：ＣＣＦＬ）をパネルのバックライトとしたものである。冷陰極管はインバータ回路によって駆動されるが、高電圧出力を行うために通常高周波変圧器が使用される。しかし、液晶パネルのサイズは益々大きくなっているので、冷陰極管の長さおよび数量を増加させる必要があり、それに伴って変圧器が駆動しなければならない電圧も高くなる。
【０００３】
図７、８に示す従来技術による高周波変圧器は、ボビン（Bobbin）ＡおよびコアセットＢから構成され、ボビンＡ上には一次側コイルＡ１および二次側コイルＡ２が形成され、二次側コイルＡ２には複数の隔板Ａ２１が設けられ、隔板Ａ２１の個数は使用電圧の高低に基づいて決定される。高周波変圧器の理想的な負荷における使用状態において、冷陰極管Ｃ、Ｄが属する負の温度の等価インピーダンスの特性負荷を通し、さらに導通後に電流を上昇させ、インピーダンスを低下させ、さらに製造コストも考慮するために、一つの変圧器によって対応する並列の冷陰極管Ｃ、Ｄを運転させるが、冷陰極管Ｃ、Ｄ間のインピーダンスはそれぞれ異なるので、冷陰極管Ｃ、Ｄの管端部に分流（Ｉ１、Ｉ２）が起こり、冷陰極管Ｃ、Ｄの電流が不均一となり、冷陰極管Ｃ、Ｄの輝度の差が大きくなる。また、従来技術による変圧器は、複数の冷陰極管Ｃ、Ｄを運転させるとき、使用される電流が冷陰極管Ｃ、Ｄの使用個数に伴って倍数的に増加するので、高周波変圧器の二次側コイルＡ２に使用されるコイル線が太くなり、二次側コイルＡ２の巻き線空間が不足し、コイルを大きくして大型の変圧器にする必要がある。しかし、大型の変圧器にすることによって、コストが増加する。
【０００４】
上述の従来技術による高周波変圧器を使用するとき、下記の欠点が存在するので改善の必要があった。
１．従来技術による変圧器のボビンＡの二次側コイルＡ２に金属線を巻設するとき、金属線は隔板Ａ２１を跨ぐ必要があり、二次側コイルＡ２の巻線部に分担された電圧が負荷を超えたとき、金属線が隔板Ａ２１を跨ぐ部分に電位差が発生し、充電および放電による電弧が形成され、火花が発生して変圧器が焼けてしまう。
２．二次側コイルＡ２において、仮に金属線が隔板Ａ２１上を跨いでいる場合、二次側コイルＡ２に容易に電位差が発生し、変圧器全体の耐圧性に影響を及ぼし、変圧器の使用寿命を短くする。
【特許文献１】特開平１１−３４００６１号公報
【考案の開示】
【考案が解決しようとする課題】
【０００５】
本考案の第１の目的は、変圧器に絶縁機能を有するボビンが設けられ、ボビン内部の貫通孔にコアセットの第１のコアが貫設され、外部には第２のコアが嵌設され、外部にそれぞれ一次側コイルおよび二次側コイルが設けられ、二次側コイルには溝部を有する隔板が複数設けられ、各溝部を構成する両側の隔板上の異なる側辺部分には金属線を通過させる上部切欠および下部切欠が形成され、金属線の巻設は隔板一側の下部切欠から隔板の溝部内に進入し、溝部他側の隔板の上部切欠から退出してなされ、金属線が二次側に巻設されて二次コイルを形成し、隔板間の溝部によって二次側の沿面距離を伸ばし、金属線が隔板上を跨らないようにすることによって、二次側の隣合う二つの巻線部間に電位差が発生して過電圧となって変圧器が焼けるのを防止し、変圧器の使用寿命を延ばすことができる変圧器を提供することにある。
本考案の第２の目的は、変圧器は二つの絶縁ボビンから構成され、絶縁ボビンの外部には矩形の枠コアが設置され、枠コアの内側には相対するように中間コアが設けられ、中間コアを絶縁ボビンの隔離溝の孔部内に進入させ、二つの絶縁ボビンの貫通孔内の第１のコアと支持させ合うことによって、二つの絶縁ボビンは第１のコアおよび枠コアと磁路を形成し、中間コアとコイルの感応によって、変圧器の漏れインダクタンスとカップリング効果を高める変圧器を提供することにある。
本考案の第３の目的は、変圧器の絶縁ボビンは一次側コイルまたは二次側コイルの外部底座の両側辺にそれぞれ嵌合部が設けられ、両ボビンが連結され、連結された両変圧器の外部に枠コアが嵌設され、枠コアの支持フレームの一次コイルおよび二次コイルと隣合う位置には中間コアが設けられ、中間コアとコイルとの誘導作用によって、変圧器の漏れインダクタンスを高めることができ、共振を達成する変圧器を提供する。
【課題を解決するための手段】
【０００６】
上記の課題を解決するために、本考案は下記の特徴を有する高圧変圧器の構造を提供する。
１．請求項１に記載の高圧変圧器の構造は、二次側の沿面距離を伸ばした金属線の巻設に便利な変圧器であり、前記変圧器には絶縁機能を有するボビンが設けられ、前記ボビン内部には貫通孔が設けられ、前記貫通孔内部にコアセットの第１のコアが貫設され、前記コアセットの第２のコアがボビン外部に嵌設され、前記ボビン外部にはそれぞれ一次側および二次側が設けられ、前記一次側に金属線が巻設されて一次側コイルが構成され、前記ボビンの二次側には溝部を備える複数の隔板が設けられ、前記各溝部を構成する両側の隔板上の異なる側辺部分には金属線を通過させる切欠がそれぞれ設けられることを特徴とする。
２．請求項２に記載の高圧変圧器の構造は、二組の変圧器外部に枠コアによって二つの独立磁路が形成される変圧器であり、前記二つの変圧器には絶縁機能を有するボビンが設けられ、前記ボビン内部には貫通孔が設けられ、前記貫通孔内部にはコアセットの第１のコアが貫設され、前記ボビン外部には一次側および二次側がそれぞれ設けられ、前記一次側に金属線が巻設されて一次側コイルが構成され、前記二次側に金属線が巻設されて二次側コイルが構成され、一次側コイルと二次側コイルとが隣合う位置に隔離溝が設けられ、前記隔離溝部分にはボビン内部を貫通する孔部が設けられ、前記二つのボビン外部には矩形の枠コアが設置され、前記枠コアの内側には、ボビンの隔離溝の孔部に進入し、第１のコアと支持し合う中間コアが相対するように設けられることを特徴とする。
３．請求項３に記載の高圧変圧器の構造は、請求項１または２の場合において、前記ボビンの一次側および二次側外部には、それぞれ底座が設けられ、一次側外部の底座両側には嵌合部および嵌合孔がそれぞれ設けられ、二次側外部の底座の一側にはストッパ板が設けられることを特徴とする。
【考案の効果】
【０００７】
本考案の高圧変圧器の構造は、実際の使用に際して以下の長所がある。
１．本考案による変圧器は、ボビンの二次側の隔板に溝部が設けられ、金属線が溝部内に巻設され、両隣の巻線部間を跨らず、上部切欠および下部切欠部分を通るので、変圧器二次側の金属線が跨る部分に高低電位差が発生して電弧が発生するのを抑制できる。
２．本考案によるボビンの二次側コイルには金属線が隔板間の溝部内に巻設されるので、二次側コイルに高低電位差が発生するのを防止でき、変圧器全体の耐圧性を向上させ、変圧器の使用寿命を延ばすことができる。
３．本考案による変圧器のボビンを組立てる時、外部に設けられた枠コアが二つのボビンとそれぞれ独立した磁路を形成し、二組のランプを駆動できる。
【考案を実施するための最良の形態】
【０００８】
上述の目的および効果を達成するために、本考案において採用した技術手段および構造を示す実施例を図に沿って下記に示す。
【０００９】
図１は本考案を示す斜視図である。図２は本考案の背面を示す斜視図である。図３は本考案の使用状態を示す立体分解図である。図４は本考案の使用状態を示す斜視図である。図から分かるように、本考案による変圧器はボビン１およびコアセット２を備える。
【００１０】
ボビン１は絶縁機能を有する絶縁材料からなり、内部には貫通孔１１を備え、外部には一次側１２および二次側１３が形成され、二次側１３には複数の巻線部１３１および隔板１３２が設けられ、各隔板１３２部分には溝部１３３が形成され、溝部１３３の両側の隔板１３２の異なる側辺には上部切欠１３２１および下部切欠１３２２がそれぞれ設けられる。一次側１２と二次側１３の隣合う位置には隔離溝１４が設けられ、隔離溝１４にはボビン１の貫通孔を貫通する孔部１４１が設けられる。ボビン１の一次側１２および二次側１３の外部にはそれぞれ底座１２２、１３５が設けられる。
【００１１】
コアセット２は第１のコア２１および第２のコア２２を備え、第２のコア２２の一側には延伸コア２２１が設けられる。
【００１２】
上述の各部材を組立てるとき、ボビン１の一次側１２に金属線を巻設して一次側コイル１２１を形成し、二次側１３に金属線を巻設し、金属線を二次側１３の巻線部１３１内に巻設した後、金属線を一側の隔板１３２の下部切欠１３２２から溝部１３３内に巻き入れ、溝部１３３の他側の隔板１３２の上部切欠１３２１から退出させる。それにより各巻線部１３１内および各隔板１３２の溝部１３３に金属線を巻設でき、二次側コイル１３４が形成される。金属線は二次側コイル１３４の外部に露出せず、ボビン１外部に一次側コイル１２１および二次側コイル１３４が形成される。そして、ボビン１内部の貫通孔１１にコアセット２の第１のコア２１を貫通し、ボビン１外部に第２のコア２２を嵌設し、第２のコア２２の延伸コア２２１をボビン１の隔離溝１４内に進入させ、延伸コア２２１を隔離溝１４の孔部１４１に貫通し、第１のコア２１と支持させ合い、変圧器が構成される。
【００１３】
変圧器の使用時、ボビン１はコアセット２によって磁路が発生し、延伸コア２２１によって一次側コイル１２１および二次側コイル１３４の磁路は双磁路が形成され、延伸コア２２１と二次側コア１３との誘導作用によって、変圧器の漏れインダクタンスおよびカップリング効果を向上させ、ボビン１とコアセット２からなる変圧器は共振を達成できる。
【００１４】
上述の本実施例によるボビン１は二次側１３に溝部１３３を備える隔板１３２が設けられ、金属線が隔板１３２外部を跨ぐのを防止し、同時に、金属線の隔板における入線および出線位置に間隔を設け、同時に隣合う両巻線部１３１間の沿面距離を伸ばし、変圧器の二次側１３が上部切欠１３２１および下部切欠部分を通り、高低圧による電位差が発生するのを防止し、変圧器の耐圧性を高め、変圧器の使用寿命を延ばすことができる。
【００１５】
図５は本考案の実施例を示す斜視図である。図６は本考案のもう一つの実施例を示す立体分解図である。図から分かるように、本実施例による変圧器は二つのボビン１から構成される。一次側コイル１２１外部の底座１２２両側にはそれぞれ嵌合部１２２１および嵌合孔１２２２が設けられる。或いは、二次側コイル１３４外部の底座１３５両側にそれぞれ嵌合部１３５１および嵌合孔１３５２を設けても良い。両ボビン１の隣合う嵌合部１２２１、１３５１と嵌合孔１２２２、１３５２とを嵌合し、二組または二組以上のボビン１が形成され、枠コア３を二つのボビン１外部の底座１２２、１３５上に嵌合し、枠コア３と二つのボビン１とを迅速に組合わされる。枠コア３内部の二つのボビン１の隔離溝１４に対応する位置にはそれぞれ中間コア３１、３２が設けられ、中間コア３１、３２を隔離溝１４の孔部１４１内に嵌入し、ボビン１内部の貫通孔１１に設けられた第１のコア２１と接触支持させることによって、二つのボビン１にそれぞれ双磁路が形成される。また、中間コア３１、３２とコイルとの誘導作用によって、変圧器の漏れインダクタンスおよびカップリング効果を向上させ、同時に二つのボビン１内の独立した第１のコア２１が形成する二つの独立した磁性回路によって、お互いが干渉し合うことなく、変圧器は二組または二組以上のランプを駆動できる。
【００１６】
本考案の重要な部分は、ボビン１の二次側１３に溝部１３３を備える複数の隔板１３２が設けられ、溝部１３３を構成する両側の隔板１３２の異なる側辺にはそれぞれ上部切欠１３２１および下部切欠１３２２が形成され、金属線が二次側１３の巻線部１３１に巻設されるとき、巻線部１３１側辺の隔板１３２の下部切欠１３２２から溝部１３３内に巻入れられ、溝部１３３の他側の隔板１３２の上部切欠１３２１から退出され、金属線が隔板１３２外部を跨がない点である。
【００１７】
上述の詳細な説明は本考案の好適な実施形態を示したものであり、前記実施形態は本考案の範囲を限定するために用いられるものではなく、本考案が示す技術を逸脱しない主旨の下完成された同等の変化や修飾も全て本考案の範囲に含まれる。
【図面の簡単な説明】
【００１８】
【図１】本考案を示す斜視図である。
【図２】本考案の背面を示す斜視図である。
【図３】本考案の使用状態を示す立体分解図である。
【図４】本考案の使用状態を示す斜視図である。
【図５】本考案の実施例を示す斜視図である。
【図６】本考案のもう一つの実施例を示す立体分解図である。
【図７】従来技術によるコイル枠を示す立体分解図である。
【図８】従来技術による変圧器の回路図である。
【符号の説明】
【００１９】
１      ボビン
１１    貫通孔
１２    一次側
１２１  一次側コイル
１２２、１３５  底座
１２２１、１３５１  嵌合部
１２２２、１３５２  嵌合孔
１３    二次側
１３１  巻線部
１３２  隔板
１３２１  上部切欠
１３２２  下部切欠
１３３  溝部
１３４  二次側コイル
１４    隔離溝
１４１  孔部
２      コアセット
２１    第１のコア
２２    第２のコア
２２１  延伸コア
３      枠コア
３１、３２  中間コア
【図１】
0003120379.tif 000003
【図２】
0003120379.tif 000004
【図３】
0003120379.tif 000005
【図４】
0003120379.tif 000006
【図５】
0003120379.tif 000007
【図６】
0003120379.tif 000008
【図７】
0003120379.tif 000009
【図８】
0003120379.tif 000010